(57)【特許請求の範囲】
【請求項１】
複数Ｎ個のルータと、この複数Ｎ個のルータ間に光信号によるカットスルーパスを形成する手段とを備えた光波長カットスルーネットワークにおいて、
前記カットスルーパスを形成する手段は、
複数Ｎ個の前記ルータをそれぞれ始点とするカットスルーパスを相互に異なる光波長によりＮ本形成する手段と、
このカットスルーパスの終点をこのカットスルーパスの始点が設定されたルータを除く複数Ｎ−１個の前記ルータに周期的に順次切替えて設定する手段と
を備えた
ことを特徴とする光波長カットスルーネットワーク。
【請求項２】
請求項１記載の光波長カットスルーネットワークに設けられ、複数の前記カットスルーパスが接続される複数の入力端子および出力端子と、
この入力端子と出力端子とを１対１に接続する手段と
を備え、
前記接続する手段は、前記入力端子の接続先となる前記出力端子を周期的に順次異なる出力端子に変更する手段を備えた
ことを特徴とする光クロスコネクト装置。
【発明の詳細な説明】
【０００１】
【発明の属する技術分野】
本発明は、光波長をラベルとして用いてカットスルーパスを形成するネットワークに利用する。
【０００２】
【従来の技術】
従来のＭＰＬＳ(マルチプロトコルラベルスイッチ)網では、ルータでの処理負荷が重い高トラヒックのパケットは、ルータを介さずに伝送路と光クロスコネクト装置でカットスルーパスを形成して転送される。また、近年、光波長をラベル代わりに使用して、カットスルーパスを形成する方式も出てきており、これをＭＰλＳと呼んでいる。
【０００３】
図６に従来のＭＰλＳにおけるカットスルーパスの構成を示す。１、２はルータ、３はパケット振り分け機能、４、５は光クロスコネクト装置、６は光波長多重機能、７は光波長分離機能、８はカットスルーパス、９はルータ１とルータ２間を結ぶ光伝送路である。
【０００４】
ルータ１で処理負荷が重くなる高トラヒックのパケットを検出するとルータ１、２を通さず、カットスルーパス８を通るように振り分け機能３に指示する。送信側と受信側とのパスは、ルータ１とルータ２との間で調整して光クロスコネクト装置４、５により設定される。光波長は送信側から受信側まで同一波長（図６ではλ１で示す）である。
【０００５】
なお、ルータ１、ルータ２の処理負荷が重くないパケットはルータ１、ルータ２を経由するが、ルータでは、いったん、光信号から電気信号に変換し、必要な処理を行った後、再び光信号に直して送出する。このとき光波長は、図６に示すように、例えばλｘからλｙに変更することができる。
【０００６】
【発明が解決しようとする課題】
しかし、ＭＰλＳでは、１つのネットワーク内で、１つのカットスルーパスが使用する光波長は、ネットワーク内での光波長の変換技術が実現されていないため、送信側から最終受信側まで同一の光波長を使用することとなる。
【０００７】
したがって１つのカットスルーパスが使用する光波長は他のカットスルーパスでは使用できないため、ネットワークで使用できる光波長の数までしかパスを構成できず、ネットワーク規模の拡大が困難である。
【０００８】
光クロスコネクト装置を通る毎に、光クロスコネクト装置で光波長の変換を行えば、この問題は解決できるが、現在、その技術は実現されていない。
【０００９】
本発明は、このような背景に行われたものであって、周期的にパスを切り替えることにより、光波長数以上の光パス構成を可能とし、大規模なＭＰλＳネットワークを実現することができる光波長カットスルーネットワークおよび光クロスコネクト装置を提供することを目的とする。
【００１０】
【課題を解決するための手段】
本発明の第一の観点は、複数Ｎ個のルータと、この複数Ｎ個のルータ間に光信号によるカットスルーパスを形成する手段とを備えた光波長カットスルーネットワークである。
【００１１】
ここで、本発明の特徴とするところは、前記カットスルーパスを形成する手段は、複数Ｎ個の前記ルータをそれぞれ始点とするカットスルーパスを相互に異なる光波長によりＮ本形成する手段と、このカットスルーパスの終点をこのカットスルーパスの始点が設定されたルータを除く複数Ｎ−１個の前記ルータに周期的に順次設定する手段とを備えたところにある。
【００１２】
このように、周期的にカットスルーパスを切り替えることにより、光波長数以上の光波長カットスルーパス構成を可能とし、大規模なＭＰλＳネットワークを実現することができる。例えば、Ｎ個のルータ間に、異なる光波長のカットスルーパスを形成しようとすれば、Ｎ２−Ｎ種類の光波長が必要となるため、Ｎの値が大きくなると実現困難になるが、本発明によれば、Ｎ種類の光波長によりＮ個のルータ間にカットスルーパスを形成することができるため、Ｎの値が大きくなっても対応することができる。
【００１３】
本発明の第二の観点は光クロスコネクト装置であって、本発明の特徴とするところは、本発明の光波長カットスルーネットワークに設けられ、複数の前記カットスルーパスが接続される複数の入力端子および出力端子と、この入力端子と出力端子とを１対１に接続する手段とを備え、前記接続する手段は、前記入力端子の接続先となる前記出力端子を周期的に順次異なる出力端子に変更する手段を備えたところにある。
【００１４】
このような光クロスコネクト装置を用いることにより、本発明の光波長カットスルーネットワークを実現することができる。
【００１５】
【発明の実施の形態】
本発明実施例の光波長カットスルーネットワークおよび光クロスコネクト装置を図１ないし図５を参照して説明する。図１は本実施例の光波長カットスルーネットワークの概念図である。図２は本実施例の光クロスコネクト装置の構成図である。図３は本実施例の光クロスコネクト装置のスイッチングパターンを説明するための図である。図４は本実施例の光クロスコネクト装置の切替えタイミングを説明するための図である。図５は本実施例の光波長カットスルーネットワークの動作を説明するための図である。
【００１６】
本発明の第一の観点は、図１に示すように、光ＸＣ（クロスコネクト）ネットワークに接続された８個のルータＲ１〜Ｒ８と、この８個のルータＲ１〜Ｒ８の間に光波長カットスルーパスを形成するパス設定装置Ｃとを備えた光波長カットスルーネットワークである。図１ではパス設定装置Ｃを光ＸＣネットワークの中心に図示したが、設置する場所は自由であり、ネットワーク内の複数箇所に分散配置してもよい。また、ルータＲ１〜Ｒ８内に設置してもよい。
【００１７】
ここで、本発明の特徴とするところは、パス設定装置Ｃは、８個のルータＲ１〜Ｒ８をそれぞれ始点とするカットスルーパスを相互に異なる光波長λ１〜λ８により８本形成し、このカットスルーパスの終点をこのカットスルーパスの始点が設定されたルータを除く７個のルータに周期的に順次設定するところにある。
【００１８】
本発明の第二の観点は図２に示す光クロスコネクト装置Ｘであって、本発明の特徴とするところは、図１に示す光ＸＣネットワークに設けられ、図２に示すように、複数のカットスルーパスが接続される複数の入力端子Ｌ１〜Ｌ４および出力端子Ｌ５〜Ｌ８と、この入力端子Ｌ１〜Ｌ４と出力端子Ｌ５〜Ｌ８とを１対１に接続するスイッチング部Ｓとを備え、スイッチング部Ｓは、図３に示すように、入力端子Ｌ１〜Ｌ４の接続先となる出力端子Ｌ５〜Ｌ８を図４に示すような一定時間間隔で周期的に順次異なる出力端子に変更するところにある。本発明の光クロスコネクト装置Ｘは、パス設定装置Ｃの制御によりルータＲ１〜Ｒ８間に光波長カットスルーパスを設定する。
【００１９】
以下では、本発明実施例をさらに詳細に説明する。
【００２０】
図２に示す光クロスコネクト装置Ｘは、４入力×４出力であり、入力端子Ｌ１〜Ｌ４には光クロスコネクト装置Ｘへの入力光伝送路が接続され、出力端子Ｌ５〜Ｌ８には光クロスコネクト装置Ｘの出力光伝送路が接続され、図３に示すＰ１−１〜Ｐ１−４は光クロスコネクト装置Ｘのスイッチングパターン＃１での接続パス、Ｐ２−１〜Ｐ２−４は光クロスコネクト装置Ｘのスイッチングパターン＃２での接続パスを示している。
【００２１】
スイッチングパターン＃１とスイッチングパターン＃２とは、図４に示すような一定時間間隔で周期的に切替えが行われる。すなわちスイッチングパターン＃１の時間帯で、入力端子Ｌ１は、出力端子Ｌ７へ接続されている。スイッチングパターン＃２の時間帯では、入力端子Ｌ１は、出力端子Ｌ６へ接続されていることを示している。
【００２２】
光クロスコネクト装置Ｘのスイッチングは、ネットワーク全体で同期を取って行われるので、パケットがスイッチングの途中で切れてしまうことはない。１つの送信側は１つの光波長を使用するが、受信側は、相手する送信側の数だけの光波長を受信する必要がある。図３の場合はスイッチングパターンが２つであるため、２つの光波長を受信できればよい。
【００２３】
図１に示す本発明の光波長カットスルーネットワークには、図２に示す本発明の光クロスコネクト装置Ｘが設置されており、図５は、図１の光波長カットスルーネットワークにおける接続パスの光波長と時間のスイッチング例を示している。λ１〜λ８はルータＲ１〜Ｒ８が送信する光波長であり、ｔ１〜ｔ７は光波長カットスルーネットワークにおける光クロスコネクト装置Ｘの切替え時間である。
【００２４】
図５では、ルータＲ１は、光波長λ１で光波長カットスルーネットワークへ送信する。光波長カットスルーネットワークでは、ルータＲ１からの入力時間ｔ１の時間はルータＲ２へ、時間ｔ２の時間はルータＲ３へというように順次相手ルータへカットスルーパスを接続する。
【００２５】
また、ルータＲ２は、光波長λ２で光波長カットスルーネットワークへ送信する。光波長カットスルーネットワークでは、ルータＲ２からの入力を時間ｔ１の時間はルータＲ３へ、時間ｔ２の時間はルータＲ４へというように順次相手ルータへカットスルーパスを接続する。
【００２６】
一般にＭＰλＳにおいて、Ｎ個のルータの相互接続を行うためには、Ｎ２−Ｎ個の光波長を必要とするが、本発明では、ルータの数、すなわちＮ個の光波長があればよい。
【００２７】
【発明の効果】
以上説明したように、本発明によれば、周期的にパスを切り替えることにより、光波長数以上の光パス構成を可能とし、大規模なＭＰλＳネットワークを実現することができる。
【図面の簡単な説明】
【図１】本実施例の光波長カットスルーネットワークの概念図。
【図２】本実施例の光クロスコネクト装置の構成図。
【図３】本実施例の光クロスコネクト装置のスイッチングパターンを説明するための図。
【図４】本実施例の光クロスコネクト装置の切替えタイミングを説明するための図。
【図５】本実施例の光波長カットスルーネットワークの動作を説明するための図。
【図６】従来のＭＰλＳにおけるカットスルーパスの構成を示す図。
【符号の説明】
１、２、Ｒ１〜Ｒ８  ルータ
３  パケット振り分け機能
４、５、Ｘ  光クロスコネクト装置
６  光波長多重機能
７  光波長分離機能
８  カットスルーパス
９  ルータ１とルータ２との間を結ぶ光伝送路
Ｃ  パス設定装置
Ｌ１〜Ｌ４  入力端子
Ｌ５〜Ｌ８  出力端子
Ｐ１−１〜Ｐ１−４  スイッチングパターン＃１での接続パス
Ｐ２−１〜Ｐ２−４  スイッチングパターン＃２での接続パス
λ１〜λ８  ルータＲ１〜Ｒ８が送信する光波長
ｔ１〜ｔ７  切替え時間
Ｓ  スイッチング部
【図１】
0003690997.tif 000002
【図２】
0003690997.tif 000003
【図３】
0003690997.tif 000004
【図４】
0003690997.tif 000005
【図５】
0003690997.tif 000006
【図６】
0003690997.tif 000007